(57)【特許請求の範囲】
【請求項１】
平板状の板には、一方側に３本の舌片が隙間を設けて形成されるとともに、他方側に握り部が形成され、３本の前記舌片の側面には、各々波形に形成した滑り止め部を形成するとともに、前記握り部の側面に前記滑り止め部に連続して波形に形成したことを特徴とする防水シーツ止め具。
【請求項２】
３本の舌片の間に形成された隙間を略正弦波状に形成した請求項１に記載の防水シーツ止め具。
【発明の詳細な説明】
【技術分野】
【０００１】  本発明は、防水シーツ使用者が布団に寝ている時に敷布団の表面に装着した介護用防水シーツがズレることを防ぐための止め具に関するものである。
【背景技術】
【０００２】  従来から、施設・在宅被介護者は、臥床就寝中に失禁等によりシーツや敷布団を汚染することが多いため、布団の表面に介護用防水シーツを装着するのが常である。
しかし、着床中に被介護者が動くことによって防水シーツがめくれたり，ズレたりして防水シーツが敷布団から外れてしまい防水の役目を果たさないため結局、シーツ・敷布団を汚染してしまうことが多かった。
【発明の概要】
【発明が解決しようとする課題】
【０００３】  防水シーツが敷布団から外れることは、敷布団に寝た状態の被介護者に、シーツ・敷布団を汚すことで不快感を感じさせ、不衛生でもあった。また、その都度シーツや敷布団を交換したり洗濯しなければならないため、介助者にとっても大きな負担を強いることになっていた。防水シーツが敷布団からめくれたりズレたりすることを防ぐための防水シーツ止め具というものはなかった。
本発明は、以上の問題点を解決するためになされたものである。
【課題を解決するための手段】
【０００４】  本発明による防水シーツ止め具は、平板状の板には、一方側に３本の舌片が隙間を設けて形成されるとともに、他方側に握り部が形成され、３本の前記舌片の側面には、各々波形に形成した滑り止め部を形成するとともに、前記握り部の側面に前記滑り止め部に連続して波形に形成したことを特徴としている。【０００５】  また、３本の舌片の間に形成された隙間を略正弦波状に形成することが望ましい。
【発明の効果】
【０００６】  本発明の防水シーツ止め具によれば、平板状の板の一方側に形成した３本の舌片の間に形成した隙間に防水シーツを差し込むことにより、防水シーツのズレを防止することができる。この結果、シーツや敷布団への汚染が防げ、被介護者の使用感も良くなり、介助者の負担を軽減することができる。しかも、他方側に握り部を形成しているので、防水シーツに差し込んだ後に、握り部を握ることにより防水シーツへの巻き込みが容易になる。さらに、握り部の側面を波形にしているので、敷布団に対してズレにくくすることができる。【０００７】  また、３本の舌片の間に形成された隙間を略正弦波状に形成することにより、防水シーツを差し込んだ後に抜けずらくなり、しかも、略正弦波状のために防水シーツを差し込みやすくなる。
【図面の簡単な説明】
【０００８】
【図１】本発明の防水シーツ止め具を示す斜視図
【図２】防水シーツ止め具を取り付けた状態を示す平面図
【図３】防水シーツ止め具をシーツに付けた状態を示す部分平面図
【図４】防水シーツ止め具にシーツを巻き付けた状態を示す断面図
【図５】敷布団に防水シーツを装着した状態を示す平面図
【発明を実施するための形態】
【０００９】  以下、本発明の実施の形態について説明する。
図１は、本発明の防水シーツ止め具１を示している。防水シーツ止め具１は、例えば、ポリエチレンテレフタレート樹脂、アクリル樹脂などの合成樹脂、或いは、金属板、厚紙等の平板状の板によって形成されている。平板状の板は、弾性のある材質であり、厚みは１ｍｍ〜５ｍｍほどにしている。また、長手方向の長さは例えば２３ｃｍ、幅は例えば５ｃｍとしている。なお、この長さ、幅は、防水シーツの種類や材質によって適宜に変更しても良い。
【００１０】  防水シーツ止め具１の一方側には、３本の舌片２ａ、２ｂ、２ｃが形成され、両側の舌片２ａ、２ｃとの間には、２本の隙間２ｄが形成されている。また、他方側には、握り部２ｅが形成されている。この握り部２ｅの端部側には、穴２ｆが形成されている。
【０００１１】  そして、３本の舌片２ａ、２ｂ、２ｃの側面には、波形に形成した滑り止め部３が各々形成されている。また、握り部２ｅの側面にも両側の舌片２ａ、２ｃの側面に形成した滑り止め部３から連続して波形に形成されている。
【０００１２】  このように形成された滑り止め部３は、略正弦波状の波形に形成されている。そして、２本の隙間２ｄに形成された滑り止め部３は、一方の波の頂部が他方の波の谷に入るように互いに入り組んだ構成としている。このように、構成することにより、滑り止め効果が一層良好にすることができる。なお、滑り止め部４は、略正弦波状の他に、三角波状、台形波状などの波形に形成しても良い。しかし、防水シーツに差し込みやすくするために、略正弦波状の波形と同様に、全体として鋭利な角が無いように滑らかな曲線とすることが望ましい。
【０００１３】  次に、本発明の防水シーツ止め具１の使用方法を説明する。まず、図２に示すように、敷布団４の表面に介護用の防水シーツ５を装着する。その後、防水シーツ５の四隅に防水シーツ止め具１を差し込む。このとき、図３に示すように、３本の舌片２ａ、２ｂ、２ｃのうち、中央の舌片２ｂが防水シーツ５の裏面になるように、２本の隙間２ｄに挿入し、あたかもクリップのように差し込む。
【０００１４】  このとき、２本の隙間２ｄに形成されている滑り止め部３は、一方の波の頂部が他方の波の谷に入るように互いに入り組んでいることから、防水シーツ５が波の間に挟まれて曲がりくねるので、滑り止め効果が発揮される。また、滑り止め部３が、略正弦波状の滑らかな曲線になっているので、２本の隙間２ｄに防水シーツ５を容易に差し込むことができる。
【０００１５】  このように、防水シーツ５の一方の両側に各々防水シーツ止め具１を差し込んだ後に、図４に示すように、握り部２ｅを握り、防水シーツ５によって防水シーツ止め具１を巻き込み、図５に示すように、敷布団４の裏面側に押し込む。また、防水シーツ５の他方の両側に各々差し込んだ防水シーツ止め具１についても、同様に防水シーツ５を巻き込み、敷布団４の裏面側に押し込む。これにより、防水シーツ５は、防水シーツ止め具１に巻かれることによって厚みが増されるので、敷布団４の裏面側に固定される。この結果、着床中に被介護者が動くことによって防水シーツ５がめくれたり、ズレたりして防水シーツ５が敷布団４から外れてしまうことが防止される。
【０００１６】  以上、本発明の実施例について説明したが、本発明は上記実施例に限定されるものではなく、その要旨を逸脱しない範囲で種々変形可能である。実施例は、握り部を３本の舌片と一体に形成したが、他の部材によって形成しても良い。また、握り部の形状は、種々変形しても良い。また、本発明の防水シーツ止め具は、医療用ケアシーツ、幼児用のおねしょシーツ、一枚物のシーツにも使用しても良い。さらに、ベットのマットレスへ直接防水シーツを装着する場合にも有効である。
【符号の説明】
【０００１７】１  防水シーツ止め具、２ａ、２ｂ、２ｃ  舌片、２ｄ  隙間、２ｅ  握り部、３  滑り止め部、４  敷布団、５  防水シーツ
【要約】
【課題】  防水シーツが敷布団からめくれたりズレたりすることを防ぐための防水シーツ止め具を提供する。
【解決手段】  防水シーツ止め具１は、平板状の板には、一方側に３本の舌片２ａ、２ｂ、２ｃが隙間２ｄを設けて形成されるとともに、他方側に握り部２ｅが形成され、舌片２ａ、２ｂ、２ｃの側面には、各々波形に形成した滑り止め部３が形成されている。
【選択図】図１【図１】
0005500532.tif 000002
【図２】
0005500532.tif 000003
【図３】
0005500532.tif 000004
【図４】
0005500532.tif 000005
【図５】
0005500532.tif 000006